(57)【要約】【課題】ディスク装置が外部電波から受ける影響を低減すること。【解決手段】スロット４から挿入されるディスク媒体Ａを記録位置または再生位置まで搬入して、ディスク媒体Ａの情報を記録または再生すると共に、記録位置または再生位置のディスク媒体Ａをスロット４に向かって搬出するデッキ３と、スロット４が形成されると共に、デッキ３を収納するシャーシ２と、を有するディスク装置１において、導電性を有する部材で形成され、もしくはその表面が導電性を有する膜で被覆された延出部材１３Ａ，１３Ｂ，２４Ａ，２４Ｂを、スロット４の短手方向に横切るように設けることを特徴とする。【選択図】図２
2010176764.tif 000002
【特許請求の範囲】
【請求項１】
スロットから挿入されるディスク媒体を記録位置または再生位置まで搬入して、上記ディスク媒体の情報を記録または再生すると共に、記録位置または再生位置の上記ディスク媒体を上記スロットに向かって搬出するデッキと、
上記スロットが形成されると共に、上記デッキを収納するシャーシと、
を有するディスク装置において、
導電性を有する部材で形成され、もしくはその表面が導電性を有する膜で被覆された延出部材を、上記スロットの短手方向に横切るように設けることを特徴とするディスク装置。
【請求項２】
請求項１記載のディスク装置において、前記デッキは、前記スロットから挿入される前記ディスク媒体と当接して前記ディスク媒体を検出するディスク検出アームを備えており、前記延出部材を上記ディスク検出アームから、前記スロットの短手方向に向かって延出するディスク検出部で構成したことを特徴とするディスク装置。
【請求項３】
請求項１または２記載のディスク装置において、前記デッキは、前記ディスク媒体が収納された状態で、新たな前記ディスク媒体が前記スロットから挿入されるのを防止する誤挿入防止アームを備えており、前記延出部材を上記誤挿入防止アームから、前記スロットの短手方向に向かって延出する誤挿入防止部で構成したことを特徴とするディスク装置。
【請求項４】
請求項１から３のいずれか１項記載のディスク装置において、前記延出部材は複数設けられていることを特徴とするディスク装置。
【請求項５】
スロットから挿入されるディスク媒体をデッキ中の記録位置または再生位置まで搬入して、上記ディスク媒体の情報を記録または再生するディスク装置への電波の入射を防止するディスク装置の電波入射防止構造において、
導電性を有する部材で形成され、もしくはその表面が導電性を有する膜で被覆された延出部材を、上記スロットの短手方向に横切るように設けることで、上記スロットを長手方向に沿って複数の領域に分割し、上記スロットに入射する電波の周波数帯を変えることにより、上記ディスク装置に影響を及ぼす周波数帯を有する電波の入射を防止することを特徴とするディスク装置の電波入射防止構造。
【請求項６】
請求項５記載のディスク装置の電波入射防止構造において、前記デッキは、前記スロットから挿入される前記ディスク媒体と当接して前記ディスク媒体を検出するディスク検出アームを備えており、前記延出部材を上記ディスク検出アームから、前記スロットの短手方向に向かって延出するディスク検出部で構成したことを特徴とするディスク装置の電波入射防止構造。
【請求項７】
請求項５または６記載のディスク装置の電波入射防止構造において、前記デッキは、前記ディスク媒体が収納された状態で、新たな前記ディスク媒体が前記スロットから挿入されるのを防止する誤挿入防止アームを備えており、前記延出部を上記誤挿入防止アームから、前記スロットの短手方向に向かって延出する誤挿入防止ピンで構成したことを特徴とするディスク装置の電波入射防止構造。
【請求項８】
請求項５から７のいずれか１項記載のディスク装置の電波入射防止構造において、前記延出部材は複数設けられていることを特徴とするディスク装置の電波入射防止構造。
【発明の詳細な説明】
【技術分野】
【０００１】
本発明は、ディスク装置およびディスク装置の電波入射防止構造に関する。
【背景技術】
【０００２】
従来から、例えば、ＣＤ、ＤＶＤなどのディスク媒体を記録再生するディスク装置では、スロットに挿入されるディスク媒体は、ディスク装置の内部に配設されるディスクローディング機構によって、ターンテーブルなどの記録再生位置まで搬送される。そして、記録再生位置まで搬入されたディスク媒体の信号は、ディスク装置の内部に配設される光ピックアップによって読み取られ、音楽等の再生がなされる。
【０００３】
また、このようなディスク装置には、スロットに挿入されたディスク媒体を記録再生位置にローディングした際に、再び、スロットに誤って新たなディスク媒体が挿入されるのを防止するためのディスク誤挿入防止装置を備えているものが存在する（特許文献１参照）。
【０００４】
特許文献１に開示されているディスク装置５０は、図１０に示すように、シャーシ５１に覆われた再生デッキ５２内の所定の位置にディスク媒体Ａが収納された後、再度、新たなディスク媒体Ａが挿入されるのを防止するための誤挿入防止アーム５３を備えている。この誤挿入防止アーム５３には上方に向かって突出する誤挿入防止突起５４が設けられており、該誤挿入防止突起５４によってディスク媒体の挿入が阻止される。
【先行技術文献】
【特許文献】
【０００５】
【特許文献１】特開２００２−２６０３１６号公報（要約書）
【発明の概要】
【発明が解決しようとする課題】
【０００６】
近年、電波の送受信を行う通信機器等が汎用されるようになってきており、例えば、車に搭載される車載用ディスク装置は、外部からの電波にさらされる機会が多くなっている。このため、これらの電波がディスク装置の内部に入り込み、ノイズとなって該ディスク装置の動作に悪影響を及ぼすといった問題が生じている。
【０００７】
特許文献１に開示されているディスク装置５０は、外側が金属製のシャーシ５１に覆われており、当該シャーシ５１の前面にはディスク媒体Ａを挿入するための挿入間口５５が設けられている。このため、ディスク装置５０の前面に飛来した電波は挿入間口５５から再生デッキ５２内に進入し、再生デッキ５２内の機構部品に到達する。この電波は再生デッキ５２内でノイズとなり、該ノイズに起因して、再生音に音飛びが生じたり、雑音が発生したりしてしまう。さらに、一般的に、挿入間口５５の口径Ｈは１２０ｍｍ程度の幅寸法を有しており、この寸法は、携帯電話等の無線通信で使用される外部電波の周波数帯１．２５ＧＨｚの半波長に相当するため、当該外部電波が挿入間口５５から再生デッキ５２内に進入しやすい。したがって、ディスク装置５０が車載用ディスク装置として使用された場合、ディスク装置５０は外部電波にさらされる機会が多くなり、該外部電波がディスク装置５０に悪影響を及ぼすことになる。
【０００８】
本発明は、かかる問題に鑑みてなされたものであり、その目的とするところは、外部電波の影響を受けにくいディスク装置を提供しようとするものである。
【課題を解決するための手段】
【０００９】
上記課題を解決するために、本発明の一側面は、スロットから挿入されるディスク媒体を記録位置または再生位置まで搬入して、ディスク媒体の情報を記録または再生すると共に、記録位置または再生位置のディスク媒体をスロットに向かって搬出するデッキと、スロットが形成されると共に、デッキを収納するシャーシと、を有するディスク装置において、導電性を有する部材で形成され、もしくはその表面が導電性を有する膜で被覆された延出部材を、スロットの短手方向に横切るように設けるものである。
【００１０】
また、デッキは、スロットから挿入されるディスク媒体と当接してディスク媒体を検出するディスク検出アームを備えており、延出部材をディスク検出アームから、スロットの短手方向に向かって延出するディスク検出部で構成するのが好ましい。
【００１１】
また、デッキは、ディスク媒体が収納された状態で、新たな前記ディスク媒体がスロットから挿入されるのを防止する誤挿入防止アームを備えており、延出部材を誤挿入防止アームから、スロットの短手方向に向かって延出する誤挿入防止部で構成するのが好ましい。
【００１２】
また、延出部材を複数設けるものとするのが好ましい。
【００１３】
また、本発明の一側面は、スロットから挿入されるディスク媒体をデッキ中の記録位置または再生位置まで搬入して、ディスク媒体の情報を記録または再生するディスク装置への電波の入射を防止するディスク装置の電波入射防止構造において、導電性を有する部材で形成され、もしくはその表面が導電性を有する膜で被覆された延出部材を、スロットの短手方向に横切るように設けることで、スロットを長手方向に沿って複数の領域に分割し、スロットに入射する電波の周波数帯を変えることにより、ディスク装置に影響を及ぼす周波数帯を有する電波の入射を防止するものである。
【００１４】
また、デッキは、スロットから挿入されるディスク媒体と当接してディスク媒体を検出するディスク検出アームを備えており、延出部材をディスク検出アームから、スロットの短手方向に向かって延出するディスク検出部で構成するのが好ましい。
【００１５】
また、デッキは、ディスク媒体が収納された状態で、新たなディスク媒体がスロットから挿入されるのを防止する誤挿入防止アームを備えており、延出部を誤挿入防止アームから、スロットの短手方向に向かって延出する誤挿入防止ピンで構成するのが好ましい。
【００１６】
また、延出部材を複数設けるものとするのが好ましい。
【発明の効果】
【００１７】
本発明によると、ディスク装置が外部電波から受ける影響を低減することができる。
【図面の簡単な説明】
【００１８】
【図１】本発明の第１の実施の形態に係るディスク装置を右斜め上方から見た斜視図であり、光ディスクが挿入される前の状態を示す図である。
【図２】本発明の第１の実施の形態に係るディスク装置を右斜め上方から見た斜視図であり、光ディスクが挿入された後の状態を示す図である。
【図３】図１のディスク装置を裏返して右斜め下方から見た状態を示す斜視図である。
【図４】図１中の誤挿入防止アームの構成を示す斜視図である。
【図５】光ディスクが図１のディスク装置に収納された状態での、電波とスロットとの関係を説明するための概略図である。
【図６】本発明の第２の実施の形態に係るディスク装置を右斜め上方から見た斜視図であり、光ディスクが挿入される前の状態を示す図である。
【図７】本発明の第２の実施の形態に係るディスク装置を右斜め上方から見た斜視図であり、光ディスクが挿入された後の状態を示す図である。
【図８】図６中の誤挿入防止アームの構成を示す斜視図である。
【図９】光ディスクが図６のディスク装置に収納された状態での、電波とスロットとの関係を説明するための概略図である。
【図１０】従来のディスク装置の構成を示す斜視図である。
【発明を実施するための形態】
【００１９】
（第１の実施の形態）
以下、本発明の第１の実施の形態に係るディスク装置１について、図面を参照しながら説明する。なお、ディスク装置１の電波入射防止構造についてもディスク装置１と共に説明する。このディスク装置１は再生装置となっているが、記録装置や記録再生装置としても良い。なお、以下の説明において、図１〜図９に示す矢示Ｘ１方向を前方、矢示Ｘ２方向を後方、このＸ１方向とＸ２方向と水平方向で直交する方向となる矢示Ｙ１方向を左方、矢示Ｙ２方向を右方、このＸＹ平面と直交する方向の矢示Ｚ１方向を上方および矢示Ｚ２方向を下方とそれぞれ規定する。
【００２０】
図１は、本発明の第１の実施の形態に係るディスク装置１を右斜め上方から見た斜視図であり、光ディスクＡが挿入される前の状態を示す図である。図２は、本発明の第１の実施の形態に係るディスク装置１を右斜め上方から見た斜視図であり、光ディスクＡが挿入された後の状態を示す図である。図３は、図１のディスク装置１を裏返して右斜め下方から見た状態を示す斜視図である。
【００２１】
本実施の形態に係るディスク装置１は、車に搭載される車載用ディスク装置として用いられる。図１および図２に示すように、ディスク装置１は、ディスク媒体であるＣＤ、ＤＶＤなどの光ディスクＡを再生するスロットイン方式のディスク再生装置である。このディスク装置１は略直方体の箱型形状を有するシャーシ２と、該シャーシ２の内部に備えられ、光ディスクＡに記録されている情報を読み取り、再生する再生デッキ３とを有している。シャーシ２には、光ディスクＡを挿入または排出するためのスロット４が設けられている。スロット４は略矩形状の形態を有しており、その長手方向の口径Ｈは挿入される光ディスクＡの直径に対応するように、約１２０ｍｍの寸法に形成されている。このスロット４に挿入される光ディスクＡは、光ディスクＡをローディングするための不図示のディスクローディング機構によって再生デッキ３内のクランプ位置まで搬送される。なお、ディスク装置１は車載用ディスク装置とされているが、車載用ではなく、例えば、家庭用のディスク装置としても良い。また、ディスク媒体として、光ディスクＡの代わりに磁気ディスク等の他の種類のディスク媒体を挿入するようにしても良い。
【００２２】
また、図１から図３に示すように、再生デッキ３には、光ディスクＡの検出を行う２つのディスク検出アーム５Ａ，５Ｂ（以下、ディスク検出アーム５Ａ，５Ｂをまとめて現す場合には、単に、ディスク検出アーム５と表記する。）と、光ディスクＡがディスク装置１内に収納された状態で、新たな光ディスクＡがスロット４から挿入されるのを防止する誤挿入防止アーム６と、再生デッキ３をシャーシ２内において浮動（フローティング）状態にて支持するダンパ７（図１および図２では再生デッキに配設されているダンパ７のうちの一部のみを示す。）と、光ディスクＡに記録されている信号を読み取るための光ピックアップ１０（図３参照）と、光ピックアップ１０の動作を制御する光ピックアップ基板１１（図３参照）が配設されている。
【００２３】
ディスク検出アーム５Ａ，５Ｂは左右対称に一対設けられている。このディスク検出アーム５は光ディスクＡの挿排出に応じて左右方向に向かって周状にスライドすることで、光ディスクＡの検出を行う。ディスク検出アーム５Ａ，５Ｂは前後方向に略板状の形態で延出するアーム部１２Ａ，１２Ｂ（図１および図２ではその前端側の部分のみを示す。）と、アーム部１２Ａ，１２Ｂの先端から上方に向かって延出するディスク検出部となるディスク検出ピン１３Ａ，１３Ｂとを有する。ディスク検出アーム５は左右で対称構造を有しており、アーム部１２Ａ，１２Ｂが再生デッキ３の奥側において軸支され、該軸支された支点を中心として左右方向に回動（スライド）するように構成されている。ディスク検出アーム５Ａ，５Ｂは、ディスク検出ピン１３Ａ，１３Ｂが挿排出される光ディスクＡの外周部と当接ながら左右方向にスライドする。なお、光ディスクＡの検出は、アーム部１２Ａ，１２Ｂがそのスライドに応じて不図示の検出スイッチを押すことによってなされる。ディスク検出アーム５は鉄もしくはアルミニウム等の導電性を有する部材から形成されている。なお、ディスク検出アーム５は金属のみならず導電性を有するシリコーン材料等から形成しても良い。
【００２４】
図４は、図１中の誤挿入防止アーム６の構成を示す斜視図である。
【００２５】
誤挿入防止アーム６は、Ｙ１Ｙ２方向を軸として周方向に回動し、再生デッキ３の左右両端部において回動可能に軸支されている。図４に示すように、誤挿入防止アーム６は、左右を長手方向とする略平板状の平板部２０と、平板部２０の左端部に設けられる略台形の板状の形態を有する左板部２１と、平板部２０の右端部に設けられる略楕円形の板状の形態を有する右板部２２と、平板部２０の左右両端から左右方向外方に向かって略円柱状の形態で突出する軸部２３と、平板部２０を長手方向において約３分割する２箇所の位置から前方に向かって、右方向から見て略Ｌ字状の形態で立ち上がる誤挿入防止部となる誤挿入防止板２４Ａ，２４Ｂ（以下、誤挿入防止板２４Ａ，２４Ｂをまとめて表す場合には、単に、誤挿入防止板２４と表記する。）を有する。誤挿入防止板２４Ａ，２４Ｂのうち上方に延出する部分は幅広の略板状の形態を有している。また、誤挿入防止板２４Ａの左端部および誤挿入防止板２４Ｂの右端部から下方に向かって細長状の細状部２５が延出している。誤挿入防止アーム６は鉄もしくはアルミニウム等の導電性を有する部材から形成されている。なお、誤挿入防止アーム６は金属のみならず導電性を有するシリコーン材料等から形成しても良い。
【００２６】
誤挿入防止アーム６は、その左右両端に設けられる軸部２３が再生デッキ３の下方において回動可能に軸支されている。このため、誤挿入防止アーム６は軸部２３を中心として周方向に回動可能な構成となっている。したがって、誤挿入防止アーム６を周方向に回動させて、光ディスクＡを挿入可能な状態にしたり、挿入不可な状態にしたりすることができる。具体的には、光ディスクＡが挿入される前には、図１に示すように、誤挿入防止板２４が斜め下方に向かって傾いた状態を維持する。このため、シャーシ２の天板２７と誤挿入防止板２４との間に隙間が形成され、該隙間を介して光ディスクＡをスロット４に挿入できる。一方、光ディスクＡが挿入された後には、図２に示すように、誤挿入防止板２４Ａ，２４Ｂが上方に傾き、スロット４を上下方向に横切る状態となる。このため、新たな光ディスクＡがスロット４に挿入することができなくなる。
【００２７】
図５は、光ディスクＡがディスク装置１に収納された状態での、電波とスロット４との関係を説明するための概略図である。
【００２８】
上述したように、本実施の形態に係るディスク装置１は車載用のディスク装置として用いられる。このため、無線通信で使用される周波数帯の電波にさられる機会が多い。ここで、スロット４の長手方向の口径Ｈは約１２０ｍｍに形成されている。また、一般に無線通信で使用される電波Ｘの周波数帯は１．２５ＧＨｚである。これより、図５に示すように、口径Ｈの１２０ｍｍの寸法は電波の半波長に相当する。すなわち、口径をＨ（ｍｍ）、電波の波長をλ（ｍｍ）としたとき、Ｈ＝λ／２の関係が成立する。仮に、ディスク検出アーム５および誤挿入防止アーム６が導電性を有する部材で形成されていないとすると、スロット４の開口部には電波の進入を遮るものがない。このため、ディスク装置１に電波Ｘが飛来してきた場合、スロット４がアンテナ（スロットアンテナ）の機能を果たし、スロット４から電波Ｘが入り込んでしまう。具体的には、スロット４に電波Ｘの半波長が定在波として定在することになる。したがって、電波Ｘが再生デッキ３の内部に進入し、それがノイズとなって光ピックアップ１０や光ピックアップ基板１１等の機構部品に悪影響を及ぼすことになる。
【００２９】
一方、本実施の形態に係るディスク装置１では、ディスク検出アーム５および誤挿入防止アーム６は導電性を有する部材で形成されている。このため、スロット４の開口部内には、ディスク装置１の内部へのディスク検出ピン１３Ａ，１３Ｂおよび誤挿入防止板２４Ａ，２４Ｂといった、ディスク装置１の内部への電波Ｘの進入を遮る部材が存在することになる。ここで、スロット４の開口部は長手方向に沿って約３分割した約４０ｍｍの口径寸法を有する３つの開口部２６が形成されている。このため、口径１２０ｍｍを有する開口部はスロットアンテナとして機能することはなく、各開口部２６がスロットアンテナの機能を果たす。すなわち、スロット４からの電波Ｘの進入はディスク検出ピン１３Ａ，１３Ｂおよび誤挿入防止板２４Ａ，２４Ｂによって阻止される。他方、開口部２６が有する約４０ｍｍの口径寸法は、３．７５ＧＨｚの周波数帯を有する電波の半波長に相当する。この周波数帯を有する電波は、通信においてあまり利用されていない。さらに、３．７５ＧＨｚの周波数帯を有する電波がディスク装置１の内部に進入したとしても、該電波は高周波であるため、直進性があると共に減衰しやすく、一般的に、強度は小さい。このため、ディスク装置１が該電波から大きな影響を受けることはない。
【００３０】
以上のように構成されたディスク装置１では、スロット４をディスク検出ピン１３Ａ，１３Ｂおよび誤挿入防止板２４Ａ，２４Ｂといった導電性を有する部材で区切ることにより、外部から影響を受けやすい周波数帯を変化させている。このため、口径１２０ｍｍを有する開口部となるスロット４は、一般に無線通信で使用される１．２５ＧＨｚの周波数帯を有する電波Ｘに対してスロットアンテナとして機能しなくなる。したがって、電波Ｘがスロット４から進入するのを防止できる。その結果、再生デッキ３の内部に進入した電波Ｘがノイズとなって、光ピックアップ１０や光ピックアップ基板１１等の機構部品に悪影響を及ぼすのを防止できる。このため、ディスク装置１で再生される音に、飛びが発生することや雑音が発生するのを防止することができる。一方、スロット４をディスク検出ピン１３Ａ，１３Ｂおよび誤挿入防止板２４Ａ，２４Ｂで区切ることにより、開口部２６がスロットアンテナの機能を果たし、その結果、開口部２６からは３．７５ＧＨｚの周波数帯を有する電波が進入しやすくなる。しかし、この周波数帯を有する電波は、通信においてあまり利用されていない上、ディスク装置１の内部に進入したとしても、その周波数帯の電波は高周波であるため、一般的に、強度は小さい。このため、ディスク装置１が該電波によって大きな影響を受けることはない。以上より、外部電波がディスク装置１へ及ぼす影響を低減することが可能となる。
【００３１】
また、ディスク装置１では、ディスク検出ピン１３および誤挿入防止板２４といった２種類の導電性を有する部材で、スロット４を区切っている。このため、より確実に電波Ｘの進入を防止することができる。
【００３２】
また、ディスク装置１では、誤挿入防止板２４はスロット４の長手方向に幅広の略平板状に形成されている。このため、より確実に電波Ｘの進入を防止することができる。
【００３３】
（第２の実施の形態）
以下、本発明の第２の実施の形態に係るディスク装置４０について、図面を参照しながら説明する。なお、第２の実施の形態に係るディスク装置４０において、第１の実施の形態と共通する事項については、同一の符号を付すと共に、その説明を省略または簡略化する。また、第２の実施の形態では、第１の実施の形態と誤挿入防止アーム４１の構成が相違する。
【００３４】
図６は、本発明の第２の実施の形態に係るディスク装置４０を右斜め上方から見た斜視図であり、光ディスクＡが挿入される前の状態を示す図である。図７は、本発明の第２の実施の形態に係るディスク装置４０を右斜め上方から見た斜視図であり、光ディスクＡが挿入された後の状態を示す図である。図８は、図６中の誤挿入防止アーム４１の構成を示す斜視図である。
【００３５】
図６に示すように、本実施の形態に係るディスク装置４０では、第１の実施の形態と同様、再生デッキ３はシャーシ２の内部に収納されており、該シャーシ２の前方にはスロット４が設けられている。また、再生デッキ３には、光ディスクＡの検出を行う２つのディスク検出アーム５Ａ，５Ｂと、光ディスクＡがディスク装置４０内に収納された状態で、新たな光ディスクＡがスロット４から挿入されるのを防止する誤挿入防止アーム４１が配設されている。
【００３６】
誤挿入防止アーム４１は、従来の誤動作防止アームと同様の構成を有しており、再生デッキ３の左右両端部において回動可能に軸支されている。誤挿入防止アーム４１は、第１の実施の形態と同様、平板部４２と、左板部４３と、右板部４４と、軸部４５と、誤挿入防止ピン４６Ａ，４６Ｂを有するものの、誤挿入防止ピン４６Ａ，４６Ｂ（以下、誤挿入防止ピン４６Ａ，４６Ｂをまとめて現す場合には、単に、誤挿入防止ピン４６と表記する。）の形状が第１の実施の形態と異なる。図８に示すように、誤挿入防止ピン４６は、平板部２０を長手方向において約３分割する２箇所の位置から前方に向かって略Ｌ字状の形態で立ち上がり、そのうち上方に向かって延出する部分が略柱状に形成されている。
【００３７】
図９は、光ディスクＡがディスク装置４０に収納された状態での、電波Ｘとスロット４との関係を説明するための概略図である。
【００３８】
第１の実施の形態の場合と同様、ディスク装置４０は車載用のディスク装置として用いられる。また、スロット４の口径Ｈは電波Ｘの半波長に相当する約１２０ｍｍに形成されている。このため、仮に、ディスク検出アーム５および誤挿入防止アーム４１が導電性を有する部材で形成されていないとすると、スロット４の開口部には電波Ｘのディスク装置４０の内部への進入を遮るものがなくなる。したがって、ディスク装置４０に電波Ｘが飛来してきた場合、スロット４がアンテナ（スロットアンテナ）の機能を果たし、スロット４に電波Ｘが入り込んでしまう。
【００３９】
ディスク装置４０では、導電性を有するディスク検出ピン１３Ａ，１３Ｂおよび誤挿入防止ピン４６Ａ，４６Ｂによって、スロット４を長手方向に沿って約３分割した約４０ｍｍの口径寸法を有する３つの開口部４７が形成されている。したがって、各開口部４７がスロットアンテナとしての機能を果たす。このため、スロット４からの電波Ｘの進入はディスク検出ピン１３Ａ，１３Ｂおよび誤挿入防止ピン４６Ａ，４６Ｂによって阻止される。一方、第１の実施の形態の場合と同様、３．７５ＧＨｚの周波数帯を有する電波が開口部４７から再生デッキ３内に進入しやすくなるが、該電波はディスク装置１に大きな影響を及ぼさない。
【００４０】
以上のように構成されたディスク装置１では、スロット４をディスク検出ピン１３Ａ，１３Ｂおよび誤挿入防止ピン４６Ａ，４６Ｂといった導電性を有する部材で区切ることにより、外部から影響を受けやすい周波数帯を変化させている。このため、口径１２０ｍｍを有する開口部となるスロット４がスロットアンテナとして機能することがなくなり、電波Ｘがスロット４から進入するのを防止できる。その結果、電波Ｘが再生デッキ３の内部に進入し、ノイズとなって光ピックアップ１０や光ピックアップ基板１１等の機構部品に悪影響を及ぼすのを防止できる。したがって、ディスク装置１で再生される音に、飛びが発生することや雑音が発生するのを防止することができる。一方、開口部４７から３．７５ＧＨｚの周波数帯を有する電波が進入しやすくなるが、該電波はディスク装置４０に大きな影響を及ぼさない。このため、外部電波がディスク装置４０へ及ぼす影響を低減することが可能となる。
【００４１】
また、ディスク装置４０では、ディスク検出ピン１３および誤挿入防止ピン４６といった２種類の導電性を有する部材で、スロット４を区切っている。このため、より確実に電波Ｘの進入を防止することができる。
【００４２】
以上、本発明の各実施の形態について説明したが、本発明は上述の各形態に限定されることなく、種々変形した形態にて実施可能である。
【００４３】
上述の各実施の形態では、ディスク検出アーム５および誤挿入防止アーム６，４１の２種類の導電性を有する部材を設けているが、どちらか一方を設けないようにしても良い。また、ディスク検出アーム５および誤挿入防止アーム６，４１の双方を導電性を有する部材で形成しているが、ディスク検出アーム５および誤挿入防止アーム６，４１のうちのどちらか一方のみを導電性を有する部材で形成するようにしても良い。
【００４４】
また、上述の第１の実施の形態では、ディスク検出アーム５および誤挿入防止アーム６の全体を導電性を有する部材で形成しているが、ディスク検出アーム５および誤挿入防止アーム６のうちのディスク検出ピン１３および誤挿入防止板２４の部分のみを導電性を有する部材で形成するようにしても良い。また、第２の実施の形態においても、ディスク検出アーム５および誤挿入防止アーム４１のうちのディスク検出ピン１３および誤挿入防止板４６の部分のみを導電性を有する部材で形成するようにしても良い。
【００４５】
また、上述の各実施の形態では、ディスク検出アーム５および誤挿入防止アーム６，４１を導電性を有する部材で形成しているが、ディスク検出アーム５および誤挿入防止アーム６，４１を樹脂等の他の部材で形成し、例えば、その外側をメッキ塗装や導電塗装、導電性ペーストを用いたスクリーン印刷もしくはスパッタ法を用いた蒸着等することにより、ディスク検出アーム５および誤挿入防止アーム６，４１の外側を導電性を有する薄膜もしくは厚膜で被覆するようにしても良い。また、ディスク検出アーム５および誤挿入防止アーム６，４１を樹脂等の他の部材で形成し、ディスク検出ピン１３並びに誤挿入防止板２４もしくは誤挿入防止ピン４６の一部もしくは全部を導電性を有する薄膜もしくは厚膜で被覆するようにしても良い。
【００４６】
また、上述の第１の実施の形態では、ディスク検出ピン１３および誤挿入防止板２４をそれぞれ２つずつ設けることによって、スロット４内に３つの開口部２６を形成するようにしているが、誤挿入防止板２４の数は２つに限定されるものではなく、例えば、１つもしくは３つ以上設けるようにして、スロット４内に他の数の開口部を形成するようにしても良い。また、第２の実施の形態においても、誤挿入防止ピン４６を、例えば、１つもしくは３つ以上設けるようにして、スロット４内に他の数の開口部を形成するようにしても良い。また、ディスク検出ピン１３、誤挿入防止板２４および誤挿入防止ピン４６は、スロット４を長手方向に沿って略均等の間隔で３分割するように設けられているが、飛来してくる電波の周波数帯に対応させて、適宜、スロット４の間隔を調整するようにしても良い。
【００４７】
また、上述の第１の実施の形態では、ディスク検出ピン１３および誤挿入防止板２４によって、スロット４を区切るような構成としているが、このような構成に限定されるものではなく、再生デッキ３内に他の部材を配設することによって、もしくは、再生デッキ３内に配設されている部材によって、スロット４を区切るような構成としても良い。また、第２の実施の形態においても、ディスク検出ピン１３および誤挿入防止ピン４６以外の他の部材によって区切るようにしても良い。
【符号の説明】
【００４８】
１，４０…ディスク装置
２…シャーシ
３…再生デッキ（デッキ）
４…スロット
５Ａ，５Ｂ…ディスク検出アーム
６，４１…誤挿入防止アーム
１３Ａ，１３Ｂ…ディスク検出ピン（ディスク検出部、延出部材）
２３Ａ，２３Ｂ…誤挿入防止板（誤挿入防止部、延出部材）
４６Ａ，４６Ｂ…誤挿入防止ピン（誤挿入防止部、延出部材）
Ａ…光ディスク（ディスク媒体）
Ｘ…電波
【図１】
2010176764.tif 000003
【図２】
2010176764.tif 000004
【図３】
2010176764.tif 000005
【図４】
2010176764.tif 000006
【図５】
2010176764.tif 000007
【図６】
2010176764.tif 000008
【図７】
2010176764.tif 000009
【図８】
2010176764.tif 000010
【図９】
2010176764.tif 000011
【図１０】
2010176764.tif 000012